(57)【要約】【課題】本発明は、簡単な構造で内部に組み込まれる回路基板を確実に保持するとともに、カバーのがたつきが生じない表示灯を提供することを目的とする。【解決手段】表示灯１は、壁に固定されるケース２と、ケース２に装着された状態で壁から表示部３１が露出するカバー３と、表示部３１の外周縁３１ａからケース２に向かって延びる係合片３２と、係合片３２の先端部３２ａから外方向に突出する係合凸部３４と、ケース２に設けられて係合凸部３４と係合する係合部２ｂと、表示部３１に覆われるＬＥＤ（発光部）４ａが実装された回路基板４と、係合片３２の先端部３２ａから基端部３２ｂに向かって延びる係止片３３と、係止片３３の先端部３３ａから内方向に突出して回路基板４を表示部３１の外周縁３１ａとの間に保持する係止凸部３５とを備える。【選択図】      図１
2005063739.tif 000002
【特許請求の範囲】
【請求項１】
壁に固定されるケースと、
前記ケースに装着された状態で前記壁から表示部が露出するカバーと、
前記表示部の外周縁から前記ケースに向かって延びる係合片と、
前記係合片の先端部から外方向に突出する係合凸部と、
前記ケースに設けられて前記係合凸部と係合する係合部と、
前記表示部に覆われる発光部が実装された回路基板と、
前記係合片の先端部から基端部に向かって延びる係止片と、
前記係止片の先端部から内方向に突出して前記回路基板を前記表示部の外周縁との間に保持する係止凸部と
を備えることを特徴とする表示灯。
【請求項２】
前記係合凸部は、この頂部から前記係合片の基端部側になだらかに形成される調整斜面と、前記係合片から前記頂部に向かって前記係合片の延びる方向と鋭角に立ち上がる係合面とを有していることを特徴とする請求項１に記載の表示灯。
【請求項３】
前記係止凸部は、前記係止片の基部から先端に向かってなだらかに形成される導入斜面と、前記先端で前記係止片が延びる方向を横切る係止面とを有していることを特徴とする請求項１に記載の表示灯。
【請求項４】
前記ケース側に向かって膨らむ凸条を前記カバーの外周縁に有することを特徴とする請求項１から請求項３のいずれか１項に記載の表示灯。
【発明の詳細な説明】
【技術分野】
【０００１】
本発明は、壁面に取り付けられて、点灯する表示灯に関する。
【背景技術】
【０００２】
例えば、病院において用いられる表示灯として、部屋の外に設けられる廊下灯がある（例えば、特許文献１参照。）。この廊下灯の内部には、発光部が設けられた回路基板が内蔵されており、発光部に対応する範囲が透光性部材のカバーで形成されている。廊下灯は、ナースコールに対応して点灯する。
【０００３】
また、壁面に取り付けられる表示灯として、廊下の壁に取り付けられて足元を照らす表示灯（足元用照明器具）がある。この足元用照明器具は、ケースとカバーと基板と発光部（発光体）とを備え、ユニット化されている（例えば、特許文献２参照。）。ケースとカバーとは、ケースに設けられた爪とカバーの縁に設けられた受穴とを係合させて互いに固定される。回路基板は、ケースの内側に設けられたサポートとカバーとに挟まれて固定されている。
【特許文献１】特開平１１−２０２８１３号公報
【特許文献２】特開２０００−２１５７０６号公報
【発明の開示】
【発明が解決しようとする課題】
【０００４】
廊下灯の電力供給用のケーブルや信号線は、壁の内部を通って配線され、回路基板に接続される。横向きの姿勢で取付作業を実施するために、回路基板をケースまたはカバーにビスで固定する必要があり、部品点数が増えるとともに、取付作業が煩雑になる。
【０００５】
また、ユニット化されている場合でも、カバーとケースとの組み合わせによっては係合部が緩く、互いにがたつく場合がある。
【０００６】
そこで、本発明は、簡単な構造で内部に組み込まれる回路基板を確実に保持するとともに、カバーのがたつきが生じない表示灯を提供することを目的とする。
【課題を解決するための手段】
【０００７】
本発明に係る表示灯は、壁に固定されるケースと、ケースに装着された状態で壁から表示部が露出するカバーと、表示部の外周縁からケースに向かって延びる係合片と、係合片の先端部から外方向に突出する係合凸部と、ケースに設けられて係合凸部と係合する係合部と、表示部に覆われる発光部が実装された回路基板と、係合片の先端部から基端部に向かって延びる係止片と、係止片の先端部から内方向に突出して回路基板を表示部の外周縁との間に保持する係止凸部とを備える。
【０００８】
カバーをがたつくことなくしっかりと固定するために、係合凸部に、この頂部から係合片の基端部側になだらかに形成される調整斜面と、係合片から頂部に向かって係合片の延びる方向と鋭角に立ち上がる係合面とを有する表示灯とする。また、カバーに対して回路基板を容易にかつより確かに係止するために、係止凸部に、係止片の基部から先端に向かってなだらかに形成される導入斜面と、先端で係止片が延びる方向を横切る係止面とを有する表示灯とする。さらに、回路基板の位置ずれを防止するために、ケース側に向かって膨らむ凸条をカバーの外周縁に有する表示灯とする。
【発明の効果】
【０００９】
本発明に係る表示灯によれば、カバーに係止片を備えるので、ビスなどの部品を増やすことなく回路基板を保持することができる。また、この係止片は、係合片の先端部から基端部に向かって延びている。係合片の先端には、カバーの外方向に突出する係合凸部が形成され、係止片の先端には、カバーの内方向に突出する係止凸部が形成されている。回路基板がカバーに取り付けられた状態で、カバーをケースに装着する場合、係合片は、内方向に撓むので、回路基板が係止片から脱落することが無い。つまり、回路基板が係止片の係止凸部と表示部の外周縁との間に確実に保持される。
【００１０】
また、係合凸部に調整斜面と係合面とを設けた表示灯の発明によれば、係合片の弾性力により、カバーをケースに押し当てる方向の力が調整斜面とケースの係合部との間に生じる。したがって、カバーの係合片とケースの係合部とに寸法差を有していても、ケースに対してカバーががたつくことがない。また、カバーがケースから取外す方向に引っ張られても、係合凸部が係合面によって係合部に引っ掛るため、容易に脱落することを防止している。
【００１１】
また、係止凸部に導入斜面と係止面を設けた表示灯の発明によれば、回路基板を係合片の基部に向かって押し込むことで、カバーの外周縁と係止片との間に容易に取り付けることができるとともに、はまり込んだ回路基板は、係止面に引っ掛るため、カバーから脱落しない。さらに、ケースに向かって膨らむ凸条をカバーの外周縁に設けた表示灯の発明によれば、回路基板が、その面内方向にずれて脱落することを防止することができる。
【００１２】
以上のように、本発明によれば、簡単な構造で内部に組み込まれる回路基板を確実に保持するとともに、カバーががたつかない表示灯を提供することができる。
【発明を実施するための最良の形態】
【００１３】
本発明に係る一実施形態の表示灯について、ナースコール子機に対応させて点灯する表示灯１に使用する場合を一例に、図１から図８を参照して説明する。図１に示す表示灯１は、ケース２とカバー３と回路基板４とを備える。
【００１４】
ケース２は、四角い枠状に形成されている。ケース２の外周には、図６に示す取付枠５の固定片５ａが嵌り込む凹部２ａが形成されている。また、ケース２は、その中心から対称な位置に係合部２ｂが形成されている。ケース２は、壁などに取り付けられる取付枠５の開口部５ｂに図６に示すように裏面側から嵌め込まれる。そして、取付枠５の固定片５ａをドライバーなどで変形させてケース２の外周に設けられた凹部２ａに固定片５ａを差し込むことで、図７に示すように、ケース２は、取付枠５に固定される。取付枠５は、壁に埋設された配線ケーブル取出用のボックスや廊下灯のフレームにねじなどで固定される。つまり、ケース２は、取付枠を介して壁に固定される。形状によっては、ケース２は、直接廊下灯のフレームや壁に取り付けられても良い。なお、取付枠５は、壁に埋設される家庭用の電源コンセントや照明などのスイッチなどの固定にも使用されるものである。
【００１５】
カバー３は、図６に示すように、表示部３１と係合片３２と係止片３３とを備える。表示部３１は、カバー３をケース２に装着した状態で壁から露出する（図８参照）。また、表示部３１は、回路基板４の片側面を覆う。係合片３２は、表示部３１の外周縁３１ａからケース２に向かって延びている。係合片３２の先端部３２ａには、外方向に突出する係合凸部３４が設けられている。この係合凸部３４は、図５に示すように調整斜面３４ａと係合面３４ｂとを有している。調整斜面３４ａは、係合凸部３４の頂部３４ｃから係合片３２の基端部３２ｂ側に向かってなだらかに形成されている。係合面３４ｂは、係合片３２から係合凸部３４の頂部３４ｃに向かって係合片３２の延びる方向と鋭角に、本実施形態では直角に、立ち上がっている。
【００１６】
係止片３３は、図４に示すように係合片３２の先端部３２ａから基端部３２ｂに向かって延びている。係止片３３の先端部３３ａには、図５に示すように内方向に向かって突出する係止凸部３５が設けられている。この係止凸部３５は、回路基板４を表示部３１の外周縁３１ａとの間に保持する。係止凸部３５は、導入斜面３５ａと係止面３５ｂとを有している。導入斜面３５ａは、係止片３３の基端部３３ｂから先端部３３ａに向かってなだらかに形成されている。係止面３５ｂは、係止片３３の先端部３３ａで係止片３３が延びる方向を横切る面である。また、図６に示すように表示部３１の外周縁３１ａには、ケース２側に向かって膨らむ凸条３１ｂが形成されている。
【００１７】
回路基板４は、図１に示すようにカバー３の表示部３１で覆われる表側に発光部となる発光ダイオード（ＬＥＤ）４ａ及びこのＬＥＤ４ａを発光させるための電子部品４ｂが実装されている。また、図６に示すようにケース２に面した回路基板４の裏側には、この回路基板４に接続される電力供給用のケーブルや信号線などのコード６が接続されるターミナル４ｃが設けられている。
【００１８】
以上のように形成された表示灯１は、図２に示すように、カバー３に回路基板４が装着される。回路基板４は、表示部３１の外周縁３１ａに向かって押し込まれることで、係止凸部３５を超えて係止片３３と表示部３１の外周縁３１ａとの間に嵌り込む。また、回路基板４は、係合片３２と凸条３１ｂとで囲われる内側に納まるので、カバー３から脱落しない。
【００１９】
図２に示すように回路基板４が取り付けられたカバー３は、図３に示すように係合片３２をケース２の係合部２ｂに差し込むことで、係止面３４ｂと係合部２ｂとが係合され、ケース２と固定される。なお、表示灯１は、回路基板４が取り付けられたカバー３をケース２に装着した状態で取付枠５に固定しても良いし、取付枠５にケース２を固定した状態で、カバー３をケース２に装着しても良い。さらに、カバー３の係止片３３を差し込んで係合できる係合部２ｂを廊下灯のフレームに設けて、カバー３と回路基板４を組み合わせたものをその係合部２ｂに取り付けて使用しても良い。この場合、係合部２ｂが設けられた廊下灯のフレームは、壁に固定されるケース２と同じ機能を果たす。
【００２０】
係合部２ｂに差し込まれた係合片３２は、図５に示すように、内側に撓んだ状態で、調整斜面３４ａが係合部２ｂと当接している。そして、係合片３２の弾性力によって、カバー３とケース２との間には、互いに押し合う力が作用するので、係合面３４ｂと係合部２ｂとの間に隙間があっても、カバー３がケース２に対してがたつかない。また、カバー３がケース２から離れる方向に引っ張られても、係合凸部３４の係合面３４ｂが係合部２ｂに引っ掛るので、カバー３がケース２から容易に脱落しない。
【００２１】
さらに、係合片３２は、ケース２をカバー３に装着する際に内側に撓むとともに、装着後も係合部２ｂによって外側に広がらないように押えられている。したがって、係止片３３は、確実に回路基板４を保持することができる。
【００２２】
図７のように組み合わされた表示灯１は、壁に取付けられた状態で、カバー３の表示部３１を露出させ、ケース２及び取付枠５が化粧カバー７で覆われる。表示灯１が、廊下灯に組み込まれる場合は、化粧カバー７の代わりに廊下灯のカバーから表示部３１が露出する状態に取り付けられる。また、本実施形態においては、表示灯１は、縦長に配置するように図示しているが、横長になるように取り付けても良い。さらに、表示部３１の形状は、丸や楕円形のほか、正方形、三角形、多角形でも良い。
【００２３】
また、本実施形態において係合片３２の数は、ケースの中心から対称な位置に１つずつ合計２つ設けたが、３つ或いはそれ以上設けると、よりしっかりと固定されるので良い。そして、係止片３３は、係合片３２の内側に１つ設けた形状を図示したが、２つ以上設けても良いし、係合片３２の先端部３２ａの両端から係合片３２の基端部３２ｂ側に向かって延びるように設けても良い。
【００２４】
なお、表示灯１は、ナースコール子機に対応させて使用する以外に、防災用の避難誘導灯、夜間や暗所で足元を照らす照明灯や、玄関に設けられる門灯などとして使用することもできる。また、ＬＥＤ４ａの色や輝度は、用途に応じてその都度自由に選択されうるものであって、特定の色や輝度に限定されるものではない。さらにＬＥＤ４ａの代わりに、電球や冷陰極ランプを使用しても良い。
【図面の簡単な説明】
【００２５】
【図１】本発明に係る一実施形態の表示灯を示す分解斜視図。
【図２】図１のカバーと回路基板とを組み合わせた状態を示す斜視図。
【図３】図１の表示灯を組み合わせた状態を示す斜視図。
【図４】図２の表示灯を示す側面図。
【図５】図３中のＦ５−Ｆ５に沿って示す表示灯の断面図。
【図６】図１の表示灯と取付枠と配線ケーブルとを示す分解斜視図。
【図７】図３の表示灯を取付枠に固定した状態を示す斜視図。
【図８】図７の取付枠に化粧カバーを取り付けた状態を示す斜視図。
【符号の説明】
【００２６】
１…表示灯、２…ケース、２ａ…係合部、３…カバー、４…回路基板、４…発光ダイオード（発光部）、３１…表示部、３１ａ…外周縁、３１ｂ…凸条、３２…係合片、３２ａ…先端部、３２ｂ…基端部、３３…係止片、３３ａ…先端部、３３ｂ…基端部、３４…係合凸部、３４ａ…調整斜面、３４ｂ…係合面、３４ｃ…頂部、３５…係止凸部、３５ａ…導入斜面、３５ｂ…係止面。
【図１】
2005063739.tif 000003
【図２】
2005063739.tif 000004
【図３】
2005063739.tif 000005
【図４】
2005063739.tif 000006
【図５】
2005063739.tif 000007
【図６】
2005063739.tif 000008
【図７】
2005063739.tif 000009
【図８】
2005063739.tif 000010